(57)【要約】【課題】転写媒体に印刷された画像の識別をユーザが行うことを容易にする。【解決手段】画像データに基づいて転写媒体に画像を印刷する画像形成部と、前記画像形成部を制御する制御部と、を備え、前記制御部は、特定された画像に関連づけられた識別情報を取得し、前記画像が印刷される転写媒体に、前記画像の形成位置に応じて、ユーザ確認用の識別情報を印刷する。【選択図】図４
2017085346.tif 000002
【特許請求の範囲】
【請求項１】
画像データに基づいて転写媒体に画像を印刷する画像形成部と、
前記画像形成部を制御する制御部と、を備え、
前記制御部は、特定された画像に関連づけられた識別情報を取得し、
前記画像が印刷される転写媒体に、前記画像の形成位置に応じて、ユーザ確認用の識別情報を印刷することを特徴とする画像形成装置。
【請求項２】
前記画像が一枚の転写媒体に複数面付けしたものであり、複数の特定された画像に関連づけてそれぞれ識別情報を有するものであることを特徴とする請求項１記載の画像形成装置。
【請求項３】
前記制御部は、複数の画像を一枚の転写媒体に面付けするレイアウト機能を有し、前記画像がレイアウト機能によって転写媒体に複数面付されるものであることを特徴とする請求項２に記載の画像形成装置。
【請求項４】
前記識別情報は、画像が印刷されていない前記転写媒体の領域に印刷されるものであることを特徴とする請求項１〜３のいずれか１項に記載の画像形成装置。
【請求項５】
前記制御部は、前記識別情報を、前記画像が印刷された転写媒体の裏面に印刷することを特徴とする請求項１〜４のいずれか１項に記載の画像形成装置。
【請求項６】
操作入力を受ける操作表示部を有し、
前記制御部は、前記操作表示部で入力された内容によって識別情報を取得することを特徴とする請求項１〜５のいずれか１項に記載の画像形成装置。
【請求項７】
前記制御部は、前記識別情報を、前記画像に関するジョブデータから取得することを特徴とする請求項１〜６のいずれか１項に記載の画像形成装置。
【請求項８】
前記制御部は、前記画像に関する画像データとともに外部から識別情報を取得することを特徴とする請求項１〜７のいずれか１項に記載の画像形成装置。
【請求項９】
前記制御部は、特定された前記画像に基づいて前記識別情報を設定することを特徴とする請求項１〜８のいずれか１項に記載の画像形成装置。
【請求項１０】
前記制御部は、転写媒体上における前記画像の主走査方向および副走査方向の印刷位置を取得し、前記画像の印刷位置に基づいて、前記転写媒体上における前記識別情報の主走査方向および副走査方向の印刷位置を決定することを特徴とする請求項１〜９のいずれか１項に記載の画像形成装置。
【請求項１１】
前記識別情報は、前記転写媒体とは別の媒体に付加されている他媒体識別情報と関連付けされたものであることを特徴とする請求項１〜１０のいずれか１項に記載の画像形成装置。
【請求項１２】
前記画像は、他媒体に貼り付ける転写媒体上に印刷されたものであり、前記画像に関連付けた識別情報が他媒体上における貼り付け位置情報を示すものであることを特徴とする請求項１１に記載の画像形成装置。
【請求項１３】
前記転写媒体が切り取られてラベルとして用いられるものであることを特徴とする請求項１２に記載の画像形成装置。
【請求項１４】
前記識別情報には、貼り付けに際しての画像の向き情報を含むことを特徴とする請求項１２または１３に記載の画像形成装置。
【請求項１５】
前記識別情報には、貼り付けに際しての貼り付け順序情報を含むことを特徴とする請求項１２〜１４のいずれか１項に記載の画像形成装置。
【請求項１６】
前記識別情報には、貼り付けを行う媒体を区別する情報を含むことを特徴とする請求項１２〜１５のいずれか１項に記載の画像形成装置。
【請求項１７】
前記制御部は、前記識別情報を作成するテンプレート作成機能を有することを特徴とする請求項１〜１６のいずれか１項に記載の画像形成装置。
【請求項１８】
画像データに基づいて転写媒体に画像を印刷する画像形成部と、
前記画像形成部を制御する制御部と、を備え、
前記制御部は、特定された画像に関連づけられた識別情報を取得し、
前記画像が印刷される転写媒体に、前記画像の形成位置に応じて、ユーザ確認用の識別情報を印刷する制御を行うことを特徴とする画像形成システム。
【請求項１９】
画像データを取得する工程と、
画像データの画像に関連づけられた識別情報を取得する工程と、
画像データに基づいて転写媒体に画像を印刷する工程と、
前記画像が印刷される転写媒体に、前記画像の形成位置に応じて前記識別情報を印刷する工程と、を有することを特徴とする画像形成方法。
【請求項２０】
画像データとともに識別情報が取得されることを特徴とする請求項１９記載の画像形成装置。
【請求項２１】
画像形成装置に指示を行う画像形成方法であって、
画像データおよび画像データの画像に関連づけられた識別情報を通知する工程と、
画像データに基づいて転写媒体に画像を印刷する指示を行う工程と、
前記画像が印刷される転写媒体に、前記画像の形成位置に応じて前記識別情報を印刷するように指示する工程と、を有することを特徴とする画像形成方法。
【発明の詳細な説明】
【技術分野】
【０００１】
この発明は、画像データに基づいて転写媒体に画像を印刷する画像形成装置、画像形成システムおよび画像形成方法に関するものである。
【背景技術】
【０００２】
従来、印刷用紙の節約や、印刷工程の簡略化などの観点から、複数の画像を１枚の用紙に印刷することが行われている。例えば、特許文献１では、ロール紙等の用紙の端に複数の画像を寄せて幅方向に配置し、画像が用紙の幅からはみ出した時点で、すでに配置されている画像の長さに合わせてロール紙の切断位置を決定することにより、用紙の余白を少なくするように画像データを自動レイアウトして画像の印刷を可能としている。この画像形成方法によれば、大量の画像を効率よく印刷することが可能となる。
【先行技術文献】
【特許文献】
【０００３】
【特許文献１】特開２００５−４７１３７号公報
【特許文献２】特開２０１２−９５１６２号公報
【特許文献３】特開２００９−２０６５７７号公報
【発明の概要】
【発明が解決しようとする課題】
【０００４】
ところで、レイアウトされた複数の画像を用紙に印刷した後に、画像に応じて用紙を断裁して利用することがある。例えば、断裁された個々の用紙を、別の広告チラシなどの所定箇所に貼り付けて広告に利用する。しかし、用紙を断裁することによって画像相互の関係がわかりにくくなり、また、断裁の有無に拘わらず、貼り付け位置が容易に分からないこともある。
【０００５】
従来、用紙に画像を形成する際に、ジョブと関連付けて用紙に識別情報を印刷する技術が提案されている（例えば特許文献２）。しかし、この提案技術では、識別情報がジョブ内の画像毎に関連付けられているものではなく、画像の識別を行うことができない。
また、特許文献３では、画像が印刷された記録媒体の裏面に画像のデータ保存先のアドレス情報を含む付加情報を印刷しておき、この付加情報を読取装置で読み取って保存先アドレスから画像データを取得し、さらに付加情報の所在位置から記録媒体に印刷された画像と同じようにレイアウトされた画像を印刷することを可能にした技術が提案されている。しかし、この提案技術では、画像に対するデータ保存先が読取装置で読み取られるものであり、ユーザが直接確認することができない。
【０００６】
本願発明は、上記事情を背景としてなされたものであり、転写媒体に印刷される画像に関連付けた識別情報をユーザが容易に確認することができる画像形成装置、画像形成システムおよび画像形成方法を提供することを目的の一つとする。
【課題を解決するための手段】
【０００７】
なお、発明が解決しようとする課題の欄では、画像を自動でレイアウトして転写媒体に面付けする場合について説明したが、本発明としてはこれに限定されるものではなく、例えば手動で画像のレイアウトを行う場合や、１つの画像の配置のみの場合においても画像の識別が不明になることがあり、このような課題の解決に対しても本願発明の適用が可能である。
【０００８】
本発明の画像形成装置の発明のうち、第１の形態は、画像データに基づいて転写媒体に画像を印刷する画像形成部と、前記画像形成部を制御する制御部と、を備え、
前記制御部は、特定された画像に関連づけられた識別情報を取得し、
前記画像が印刷される転写媒体に、前記画像の形成位置に応じて、ユーザ確認用の識別情報を印刷することを特徴とする。
【０００９】
他の形態の画像形成装置の発明は、前記形態の本発明において、前記画像が一枚の転写媒体に複数面付けしたものであり、複数の特定された画像に関連づけてそれぞれ識別情報を有するものであることを特徴とする。
【００１０】
他の形態の画像形成装置の発明は、前記形態の本発明において、前記制御部は、複数の画像を一枚の転写媒体に面付けするレイアウト機能を有し、前記画像がレイアウト機能によって転写媒体に複数面付されるものであることを特徴とする。
【００１１】
他の形態の画像形成装置の発明は、前記形態の本発明において、前記識別情報は、画像が印刷されていない前記転写媒体の領域に印刷されるものであることを特徴とする。
【００１２】
他の形態の画像形成装置の発明は、前記形態の本発明において、前記制御部は、前記識別情報を、前記画像が印刷された転写媒体の裏面に印刷することを特徴とする。
【００１３】
他の形態の画像形成装置の発明は、前記形態の本発明において、操作入力を受ける操作表示部を有し、
前記制御部は、前記操作表示部で入力された内容によって識別情報を取得することを特徴とする。
【００１４】
他の形態の画像形成装置の発明は、前記形態の本発明において、前記制御部は、前記識別情報を、前記画像に関するジョブデータから取得することを特徴とする。
【００１５】
他の形態の画像形成装置の発明は、前記形態の本発明において、前記制御部は、前記画像に関する画像データとともに外部から識別情報を取得することを特徴とする。
【００１６】
他の形態の画像形成装置の発明は、前記形態の本発明において、前記制御部は、特定された前記画像に基づいて前記識別情報を設定することを特徴とする。
【００１７】
他の形態の画像形成装置の発明は、前記形態の本発明において、前記制御部は、転写媒体上における前記画像の主走査方向および副走査方向の印刷位置を取得し、前記画像の印刷位置に基づいて、前記転写媒体上における前記識別情報の主走査方向および副走査方向の印刷位置を決定することを特徴とする。
【００１８】
他の形態の画像形成装置の発明は、前記形態の本発明において、前記識別情報は、前記転写媒体とは別の媒体に付加されている他媒体識別情報と関連付けされたものであることを特徴とする。
【００１９】
他の形態の画像形成装置の発明は、前記形態の本発明において、前記画像は、他媒体に貼り付ける転写媒体上に印刷されたものであり、前記画像に関連付けた識別情報が他媒体上における貼り付け位置情報を示すものであることを特徴とする。
【００２０】
他の形態の画像形成装置の発明は、前記形態の本発明において、前記転写媒体が切り取られてラベルとして用いられるものであることを特徴とする。
【００２１】
他の形態の画像形成装置の発明は、前記形態の本発明において、前記識別情報には、貼り付けに際しての画像の向き情報を含むことを特徴とする。
【００２２】
他の形態の画像形成装置の発明は、前記形態の本発明において、前記識別情報には、貼り付けに際しての貼り付け順序情報を含むことを特徴とする。
【００２３】
他の形態の画像形成装置の発明は、前記形態の本発明において、前記識別情報には、貼り付けを行う媒体を区別する情報を含むことを特徴とする。
【００２４】
他の形態の画像形成装置の発明は、前記形態の本発明において、前記制御部は、前記識別情報を作成するテンプレート作成機能を有することを特徴とする。
【００２５】
本発明の画像形成システムのうち、第１の形態は、画像データに基づいて転写媒体に画像を印刷する画像形成部と、前記画像形成部を制御する制御部と、を備え、
前記制御部は、特定された画像に関連づけられた識別情報を取得し、
前記画像が印刷される転写媒体に、前記画像の形成位置に応じて、ユーザ確認用の識別情報を印刷する制御を行うことを特徴とする。
【００２６】
本発明の画像形成方法の発明は、前記形態の本発明において、画像データを取得する工程と、画像データの画像に関連づけられた識別情報を取得する工程と、画像データに基づいて転写媒体に画像を印刷する工程と、前記画像が印刷される転写媒体に、前記画像の形成位置に応じて前記識別情報を印刷する工程と、を有することを特徴とする。
【００２７】
他の形態の画像形成方法の発明は、前記形態の本発明において、画像データとともに識別情報が取得されることを特徴とする。
【００２８】
本発明の画像形成システムのうち、他の形態は、画像形成装置に指示を行う画像形成方法であって、画像データおよび画像データの画像に関連づけられた識別情報を通知する工程と、画像データに基づいて転写媒体に画像を印刷する指示を行う工程と、前記画像が印刷される転写媒体に、前記画像の形成位置に応じて前記識別情報を印刷するように指示する工程と、を有することを特徴とする。
【発明の効果】
【００２９】
すなわち、本発明によれば、転写媒体に印刷する画像に関連付け、かつ画像形成位置に応じて識別情報を形成するので、画像に対する識別情報をユーザが容易に確認することができる効果がある。
【図面の簡単な説明】
【００３０】
【図１】本発明の一実施形態の画像形成装置および画像形成システムの一実施形態を示す概略図である。
【図２】同じく、画像形成装置の機能ブロックを示す。
【図３】同じく、自動レイアウトによって印刷された画像の用紙を断裁し、広告チラシへ貼付を行う例を示す図である。
【図４】同じく、画像を印刷した用紙の裏面に識別情報を印刷して広告チラシに断裁した用紙を貼り付けする例を示す図である。
【図５】同じく、用紙に画像および識別情報を印刷する手順を示すフローチャートである。
【図６】同じく、用紙の裏面に印刷する識別情報の画像データを作成する概要を示す図である。
【図７】同じく、用紙に印刷した識別情報を広告チラシの貼付位置に印刷された他媒体識別情報と同一にした例を示す図である。
【図８】同じく、識別情報を広告チラシの貼り付け座標に関連付けた例を説明する図である。
【図９】同じく、識別情報に貼付向きを含む場合の例を説明する図である。
【図１０】同じく、識別情報に貼付順序を含む場合の例を説明する図である。
【図１１】同じく、複数の名刺等にラベルを貼り付ける場合の例を説明する図である。
【図１２】同じく、画像データに関連付けた識別情報を設定する識別情報作成画面を示す図である。
【発明を実施するための形態】
【００３１】
以下に、本発明の一実施形態における画像形成装置を説明する。図１は、本発明の画像形成装置の機械的構成および画像形成装置の概略を示すものである。
画像形成装置１は、装置本体１Ａを備え、装置本体１Ａの前段側には給紙部大容量トレイ２０が接続されている。この実施形態では装置本体１Ａの後段側には後処理装置を備えていないものであるが、後処理装置を備えるものであってもよい。給紙部大容量トレイには、適宜の用紙は収納される。
なお、この実施形態では、装置本体１Ａと装置本体１Ａに接続された装置とによって画像形成装置１が構成されているものとして説明しているが、装置本体１Ａに接続される装置の種別や数が特に限定されるものではない。また、本体装置１Ａのみによって画像形成装置が構成されているものであってもよい。
【００３２】
画像形成装置１は、画像を形成する画像形成部１５を装置本体１Ａ内に有しており、装置本体１Ａの上部側には、操作者の操作を受けるとともに、情報を表示する操作パネル１４を有している。操作パネル１４は、例えば、タッチパネルを有するＬＣＤによって構成することができる。また、操作を行う操作部と表示を行う表示部とが別に構成されていてもよい。
【００３３】
さらに、画像形成装置１の操作本体１Ａ上部側には、原稿を自動的に読み込む自動原稿給装装置を含む原稿読み取り部１３を有しており、原稿読み取り部１３によって原稿の画像が読み取られる。また、装置本体１Ａの下部側には、用紙を収納する給紙部本体トレイ１０を有している。
【００３４】
装置本体１Ａでは、用紙が搬送される搬送路１２を有しており、給紙は操作本体１Ａ内の複数の給紙部本体トレイ１０から行うものであってもよく、給紙部大容量トレイ２０から給紙されるものであってもよい。給紙部本体トレイ１０や給紙部大容量トレイ２０から給紙される用紙は、搬送ローラー１３Ａ、１３Ｂ等を経て搬送路１２によって搬送され、画像形成部１５に至る。画像形成部１５では用紙に画像が転写され、定着部１５Ｅで熱と圧力を加えてトナー像が定着されることで印刷がなされ、その後、搬送路１２を経て装置外に排出される。この実施形態の用紙は、本発明の転写媒体に相当する。なお、転写媒体は用紙に限定されるものではなく、布などによって構成されるものであってもよい。また、画像形成を行った用紙は、後処理装置に搬送されるものであってもよい。
【００３５】
なお、図では示していないが、定着器１５Ｅの下流側では反転搬送路が分岐しており、反転搬送路は画像形成部１５の上流側で搬送路１２に合流している。表裏面に画像を形成する場合は、表面に画像が形成された用紙を反転搬送路に搬送し、反転搬送路で用紙を反転した後、搬送路１２に搬送することで、裏面側への画像形成を行うことができる。
また、他の形態として、表面用の画像形成部の他に裏面用の画像形成部を設け、用紙を環流することなく、表裏面への画像を形成できるものとしたものでもよい。
【００３６】
画像形成部１５では、各色（シアン、マゼンタ、イエロー、ブラックなど）用にそれぞれ用意された感光体１５Ａを有し、各感光体１５Ａの周線部にそれぞれ図示しない帯電器、書き込み部および現像ユニットが配設されている。帯電器によって帯電した感光体１５Ａ表面は、画像データの画像情報に基づいて、ＬＤなどの書き込み部により像露光が行われ、感光体１５Ａ表面には潜像が形成される。潜像は現像ユニットによって現像がなされてトナー像となる。トナー像は、中間転写ベルト１５Ｂに転写され、中間転写ベルト１５Ｂの画像は、搬送路１２で搬送されて二次転写ローラー１５Ｃで圧着されつつ搬送される用紙に転写される。
【００３７】
画像形成部１５では、中間転写ベルト１５Ｂの用紙転写位置よりも回転方向側かつ各感光体１５Ａとの転写位置よりも回転方向逆側に、該中間転写ベルト１５Ｂ上の残留トナーを除去するクリーニングブレード１５Ｄが配置されている。
なお、上記した各感光体１５Ａ、中間転写ベルト１５Ｂは、図示しない駆動モーターによって回転駆動される。画像が転写された用紙は、定着器１５Ｅで画像が定着される。用紙の表面側への印刷のみを行う場合は、画像形成後に、搬送路１２に沿ってそのまま排紙される。
用紙の裏面側への印刷を行う場合は、反転搬送路に用紙を送って用紙を反転し、画像形成部１５の上流側の搬送路１２に環流させる。環流した用紙は、上記と同様に裏面側に画像が転写され、定着器１５Ｅで画像が定着された後、搬送路１２に沿って排紙される。
【００３８】
なお、この実施形態では、カラー画像形成装置について説明するが、モノクロ画像形成装置であってもよい。
【００３９】
画像形成装置１は、ＬＡＮ３を通じて外部装置２と接続されて画像形成システムを構成している。外部装置２としては、ＰＣ端末や画像形成装置を管理する管理装置が挙げられる。画像データは、画像形成装置１で取得する他、外部装置２から送られるジョブデータから取得するものであってもよい。ジョブデータは画像データと印刷条件データなどからなる。
【００４０】
次に、画像形成装置１を含む画像形成システムの制御ブロックを図２に基づいて説明する。
画像形成装置１は、主要な構成として制御ブロック部１１０とスキャナー部１３０と操作表示部１４０とプリンター部１５０とを有するコピア本体と、ＬＡＮ３を通して外部機器２（例えば端末（ＰＣ））との間で入出力される画像データを処理する画像処理部（プリント＆スキャナーコントローラー）１６０とを備えている。
【００４１】
制御ブロック部１１０はＰＣＩバス１１２を有しており、ＰＣＩバス１１２は制御ブロック内でＤＲＡＭ制御ＩＣ１１１に接続されている。また、ＰＣＩバス１１２には、ＨＤＤ１１９が接続されている。ＨＤＤ１１９では、画像データや画像に関連づけた識別情報、テンプレートの情報などを格納することができる。
【００４２】
さらに制御ブロック部１１０には、制御ＣＰＵ１１３を備えており、該制御ＣＰＵ１１３には不揮発メモリ１１５が接続されている。不揮発メモリ１１５には、制御ＣＰＵ１１３を動作させるためのプログラムや画像形成装置１の設定データ、プロセス制御パラメータ、テンプレート情報などが格納されている。
制御ＣＰＵ１１３は、画像形成装置全体の状態把握を行うものであり、画像形成制御等を行う。すなわち、制御ＣＰＵ１１３は、本発明の制御部として機能する。
【００４３】
スキャナー部１３０は、光学読み取りを行うＣＣＤ１３１と、スキャナー部１３０全体の制御を行うスキャナー制御部１３２とを備えている。スキャナー制御部１３２は、前記制御ＣＰＵ１１３とシリアル通信可能に接続されおり、制御ＣＰＵ１１３による制御を受ける。なお、スキャナー制御部１３２はＣＰＵやこれを動作させるプログラムなどによって構成することができる。前記ＣＣＤ１３１で読み取った画像データは読み取り処理部１１６でデータ処理がなされる。
【００４４】
操作表示部１４０は、ＬＣＤ１４１と、操作部制御部１４２とを備えており、上記ＬＣＤ１４１と操作部制御部１４２とが接続され、該操作部制御部１４２と、前記制御ＣＰＵ１１３とがシリアル通信可能に接続されている。ＬＣＤ１４１は、タッチパネルとともに操作パネル１４を構成する。該構成によって操作表示部１４０の制御が制御ＣＰＵ１１３によって行われる。なお、操作部制御部１４２は、ＣＰＵやこれを動作させるプログラムなどによって構成することができる。
【００４５】
操作表示部１４０では、画像形成装置１における画像形成や給紙の設定や動作指令などの動作制御条件の入力が可能となっている。さらに、設定内容、機械状態、情報の表示等が可能になっており、上記制御ＣＰＵ１１３により制御される。この操作表示部１４０によって、所定の操作などを行うことができる。また、識別情報を作成する際のテンプレートの作成や、テンプレートに識別情報の入力を行うことができる。
【００４６】
また、ＤＲＡＭ制御ＩＣ１１１は、圧縮メモリ１２１とページメモリ１２２とからなる画像メモリ（ＤＲＡＭ）１２０に接続されている。該画像メモリ（ＤＲＡＭ）１２０には、前記スキャナー部１３０で取得した画像データやＬＡＮ３を通して取得した画像データ、画像に関連づけた識別情報などが格納される。また、画像データや識別情報はＨＤＤ１１９に格納することができる。
【００４７】
ＤＲＡＭ制御ＩＣ１１１には、圧縮された画像データを圧縮する圧縮ＩＣ１１８と、伸長する伸長ＩＣ１１７が接続されている。さらにＤＲＡＭ制御ＩＣ１１１には伸長ＩＣ１１７を介して書き込み処理部１２３が接続されている。該書き込み処理部１２３は、プリンター部１５０のＬＤ１５２に接続され、該ＬＤ１５２の動作に用いられるデータの処理を行う。
【００４８】
また、プリンター部１５０は、プリンター部１５０の全体を制御するプリンター制御部１５１を備えており、該プリンター制御部１５１は、前記制御ＣＰＵ１１３に電気的に接続されて制御を受ける。プリンター制御部１５１は、制御ＣＰＵ１１３の指令によりプリンター部１５０の各種制御を行う。
プリンター制御部１５１は、給紙部大容量トレイ２０を制御する給紙制御部２１に電気的に接続されている。プリンター制御部１５１は、制御ＣＰＵ１１３の指令を受けて給紙制御部２１に給紙指示を行う。
【００４９】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に、画像メモリ１６２、ＬＡＮインターフェース１６５が接続されている。ＬＡＮインターフェース１６５はＬＡＮ３に接続されている。なお、ＬＡＮ３は、各種のネットワークとすることができる。
ＬＡＮ３には、ＰＣ端末、管理装置などの外部装置２が接続されており、画像形成装置１との間で画像データおよび識別情報の送受信を行うことができる。外部装置２には、外部装置２全体を制御する外部装置制御部２００を有している。
【００５０】
次に、上記画像形成装置１の基本的動作について説明する。
先ず画像形成装置１において画像データを蓄積する手順について説明する。
画像形成装置１において、スキャナー部１３０で原稿の画像を読み取り画像データを生成する場合、スキャナー部１３０において原稿からＣＣＤ１３１により原稿の画像を光学的に読み取る。この際には、制御ＣＰＵ１１３から指令を受けるスキャナー制御部１３２によってＣＣＤ１３１の動作制御を行う。ＣＣＤ１３１で読み取られた画像は、読み取り処理部１１６でデータ処理がなされ、データ処理された画像データは、圧縮ＩＣ１１８で圧縮され、ＤＲＡＭ制御ＩＣ１１１を介して圧縮メモリ１２１やＨＤＤ１１９に格納される。圧縮メモリ１２１やＨＤＤ１１９に格納された画像データは制御ＣＰＵ１１３によってジョブとして管理することができる。
【００５１】
画像データを外部から取得する場合、例えば外部装置２からＬＡＮ３を通して、送信される画像データは、ＬＡＮインターフェース１６５を介してＤＲＡＭ制御ＩＣ１６１により画像メモリ１６２に記憶される。この際に印刷情報も同様に受信することができる。画像メモリ１６２の画像データがＲＩＰ処理（Ｒａｓｔｅｒ  Ｉｍａｇｅ  Ｐｒｏｃｅｓｓｉｎｇ）を必要とする場合は、コントローラー制御ＣＰＵ１６３でビットマップ化した後、画像メモリ１６２に再度格納する。外部においては、画像のレイアウトを実施して、出力用紙に展開する画像データ及び用紙裏面に印刷する識別情報を作成しておき、これを画像形成装置１に送信することができる。
【００５２】
また、自動レイアウト機能を実施する場合、制御ＣＰＵ１１３では、画像データの読み込み時や、受信したデータから自動レイアウトの配置位置を決定し、出力用紙に展開する画像データを作成、及び用紙裏面に印刷する識別情報を作成し圧縮メモリ１２１に格納する。
【００５３】
画像メモリ１６２のデータは、ＤＲＡＭ制御ＩＣ１６１、ＰＣＩバス１１２、ＤＲＡＭ制御ＩＣ１１１を介してページメモリ１２２に一旦格納される。ページメモリ１２２に格納されたデータはＤＲＡＭ制御ＩＣ１１１を介して圧縮ＩＣに順次送られて圧縮処理され、ＤＲＡＭ制御ＩＣ１１１を介して圧縮メモリ１２１やＨＤＤ１１９に格納され、上記と同様に制御ＣＰＵ１１３による管理がなされる。印刷条件には、識別情報を含むことができる。
【００５４】
なお、制御ＣＰＵ１１３は、上記したように、複数の画像を一枚の前記転写媒体に面付けするレイアウト機能を有している。レイアウトは、ユーザが操作パネル１４を介して行ってもよく、自動で行うようにしてもよい。
レイアウトによる面付けの時機は、画像データを取得したときでもよく、また、一旦、画像メモリ１２０に格納した後、画像データをユーザが選択してレイアウトを行ってもよい。
面付けを自動で行う場合、制御ＣＰＵ１１３によって、面付けを行う画像に応じて余白が少なくなるようにレイアウトを決定することができる。自動レイアウトの手法は本発明において特定のものに限定されるものではなく、既知の方法を用いることができる。
レイアウトされた画像は、一つのジョブ内の画像として扱うことができる。
【００５５】
次に、画像形成装置１で画像出力をする場合、圧縮メモリ１２１やＨＤＤ１１９に格納された画像データおよび印刷情報を、ＤＲＡＭ制御ＩＣ１１１を介して、伸長ＩＣ１１７に送出して、データを伸長し、伸長したデータを書き込み処理部１２３に送出し、ＬＤ１５２において各感光体への書き込みを行う。また、制御ＣＰＵ１１３は、受信した画像データの印刷情報として識別情報を有している場合、識別情報に基づいた画像を、表面の画像の形成位置に応じて用紙の裏面に印刷する。表面の画像形成位置に応じた裏面への画像形成位置は、印刷情報に含まれていてもよく、制御ＣＰＵ１１３において表面の画像形成位置に基づいて算出するようにしてもよい。画像形成部で印刷された用紙は、搬送路１２を通して排紙される。
【００５６】
次に、画像を転写媒体に自動レイアウトして、画像毎に利用する場合について、図３に基づいて説明する。
入力画像は原稿の読み込みなどによって複数が用意される。図では、Ｄ１〜Ｄ５の画像が用意されている。自動レイアウト機能では、これらの画像を一つにまとめる場合、制御ＣＰＵ１１３では、画像サイズに応じて無駄な余白が発生しないように画像レイアウトを実施する。図では、用紙Ｐ１を想定して、画像の配置位置が決定され、この配置位置に応じた画像データが生成され、印刷実行される。
【００５７】
出力実施後に画像を含む用紙をラベルとして切り離して、別の広告チラシ等に貼り付ける。このときにカット紙としては、画像Ｄ１を含むラベルＰＤ１、画像Ｄ２を含むラベルＰＤ２、画像Ｄ３を含むラベルＰＤ３、画像Ｄ４を含むラベルＰＤ４、画像Ｄ５を含むラベルＰＤ５が得られる。自動レイアウトでは、無駄なく配置することを考慮するため、画像の配置位置は、画像の順序などと無関係に実施される。このため、ラベルＰＤ１〜ＰＤ５の画像レイアウトが入れ替わっている場合には、広告チラシＰ２のどの位置にラベルを張り付けてよいかわからなくなってしまう。
【００５８】
図４は、本実施形態に基づいて、特定の画像毎に関連付けて識別番号を付与し、画像を印刷した用紙に、画像の形成位置に応じて識別情報を印刷したものである。この例では、ラベルを貼り付ける広告チラシＰ２における貼り付けの位置情報１〜５に関連付けて識別情報１〜５が設定されて用紙Ｐ１の裏面に印刷されている。図では、便宜上、表面に印刷された形で図示している。出力実施後に、画像Ｄ１（識別情報１）〜Ｄ５（識別情報５）をカットしたラベルＰＤ１〜ＰＤ５を、広告チラシＰ２のどの位置に貼り付けてよいかが分かるようになり、貼り付け位置（１〜５）にラベルＰＤ１〜ＰＤ５を容易に貼り付けることができる。
【００５９】
次に、画像とともに識別情報を用紙に印刷する手順を図５のフローチャートに基づいて説明する。
先ず画像データに対する識別情報を作成する（ステップＳ１）。なお、この例では、識別情報は外部装置２で作成される。
作成された識別情報と画像データは、画像形成装置１に送信される（ステップｓ２）。
画像形成装置１では、表面画像データを作成し、自動レイアウト配置を実施する（ステップｓ３）。次いで、裏面画像データを作成し、その際に識別情報を画像データに付加する（ステップｓ４）。識別情報のみの場合、識別情報に基づいて画像データが生成される。その後、用紙を出力し、処理を終了する。
【００６０】
次に、裏面の画像データ作成する手順を、図６を用いて説明する。
先ず第１のステップとして、自動レイアウト配置時に、用紙表面Ｐ１Ａにおける画像の右上端部（Ｔ１、Ｔ２、Ｔ３）の座標位置を算出する。
表面座標算出で、Ｔ１（表Ｘ１、表Ｙ１）、Ｔ２（表Ｘ２、表Ｙ２）、Ｔ３（表Ｘ３、表Ｙ３）を得る。用紙表面Ｐ１Ａに示した数値と矢印は、想定される識別情報を示すものであり、画像として印刷されるものではない。
【００６１】
次に、第２のステップとして、裏面Ｐ２Ａにおける裏面座標を算出する。裏面側は左右鏡像で作成することが必要とされる。この結果、裏面では、画像における左上端部（ｔ１、ｔ２、ｔ３）の座標位置が算出されることになる。左上端部ｔ１は表面の右上端部Ｔ１に対応し、左上端部ｔ２は表面の右上端部Ｔ２に対応し、左上端部ｔ３は表面の右上端部Ｔ３に対応する。裏面座標算出では、ｔ１（裏Ｘ１＝Ｘ−表Ｘ１、裏Ｙ１＝表Ｙ１）、ｔ２（裏Ｘ２＝Ｘ−表Ｘ２、裏Ｙ１＝裏Ｙ１）、ｔ３（裏Ｘ３＝Ｘ−表Ｘ３、裏Ｙ３＝表Ｙ３）が得られる。識別情報としてＭ１、Ｍ２、Ｍ３が形成される。
【００６２】
第３のステップでは、裏面画像データ（ラベル有り）を作成する。作成する画像データは、天位置を上にしたときの画像サイズで作成し、ラベルは画像データの右上に配置する。
用紙裏面Ｐ１Ｂに示した数値と矢印の識別情報Ｍ１〜Ｍ３は、貼り付け位置と画像の向きを表す識別情報であり、画像として印刷される。
なお、このステップで、ラベルを作成するときに画像サイズが小さく、ラベルを記載する領域がない場合は、ラベルサイズを縮小してラベルを印字する、または画像が配置されない部分に、どの画像のラベルであるかの情報も含めて表面画像のラベルを印字することで、表面の画像データの配置位置を取得することが可能となる。
【００６３】
第４のステップでは、裏面の自動レイアウト配置を実施する。天位置向きの方向に画像データを回転し、基準位置に画像データを貼り付ける。画像回転算出は、天位置向き上＝右０度回転、天位置向き右＝右９０度回転、天位置向き下＝右１８０度回転、天位置向き左＝右１８０度回転とする。
【００６４】
次に、カットしたラベルを広告チラシに貼り付ける状態を図７に基づいて説明する。
自動レイアウト出力後に断裁したラベルＰＤ１〜ＰＤ５では、裏面に識別情報Ｍ１〜Ｍ５が形成されている。この図では、便宜上、ラベルの表面に識別情報を示しているが、実際には裏面に印刷されている。この例の識別情報はそれぞれ異なる数値で示されている。広告チラシＰ２では、貼り付ける画像に対応して針付け位置ＳＤ１〜ＳＤ５が定められており、各針付け位置に応じた識別情報ｍ１〜ｍ５が広告チラシＰ２に印刷されている。広告チラシＰ２は、本発明の他媒体に相当し、識別情報ｍ１〜ｍ５は、本発明の他媒体識別情報に相当する。
【００６５】
用紙に印刷された識別情報Ｍ１〜Ｍ５では、自身の識別情報Ｍ１〜Ｍ５によって広告チラシのどの位置に貼り付けてよいかを判断することができる。この例では、識別情報Ｍ１〜Ｍ５は、広告チラシＰ２の識別情報ｍ１〜ｍ５と同じものになっている。このとき仮に画像が同一の形であったとしても、ラベルＰＤ１〜ＰＤ５を広告チラシＰ２のどの位置に貼りつけるかの判断が容易である。
【００６６】
次に、カットしたラベルを広告チラシに貼り付ける状態を図８に基づいて説明する。
自動レイアウト出力後に断裁したラベルＰＤ１〜ＰＤ５では、裏面に識別情報Ｍ１〜Ｍ５が形成されている。この図では、便宜上、ラベルの表面に識別情報を示しているが、実際には裏面に印刷されている。この例の識別情報は貼り付け位置の座標を示している。
広告チラシＰ２では、貼り付ける画像に対応した針付け位置が想定されているが、各貼り付け位置に応じた番号などの識別情報は印刷されていない。ただし、番号などではなく、広告ラベルへの貼付位置情報をラベルＰＤ１〜ＰＤ５に識別情報として付加することができる。
この例では、広告ラベルに識別情報が付加できない場合に、座標位置を識別情報に付加することにより、広告ラベル側に識別情報を付加できない場合でも、どの位置に貼り付けて良いかを容易に判断することが可能となる。
【００６７】
画像データを自動レイアウトするときに、図９の右図に示すように、画像データが回転されて配置される場合がある。これを断裁してラベルになったときに、画像向き情報が判らないと、広告ラベルＰ２にどの向きて貼り付けて良いかが判らなくなる。
そこで本実施形態では、レイアウト配置されたときの画像向き情報を取得し、その情報を裏面の白紙部分に、識別情報Ｍ１〜Ｍ５として、貼り付け番号位置とともに矢印（↑、←など）のマークを付加することができる。広告チラシＰ２には、貼り付け箇所に合わせて貼り付け位置ｍ１〜ｍ５が印刷されている。
画像向き情報を識別情報に付加することにより、レイアウト時にどの向きで画像データが配置されたとしても、広告ラベルに適切な画像向きで貼り付けることが可能となる。
【００６８】
次に、広告チラシＰ２にラベルを貼り付けるときに、図１０の右図に示すように、複数のラベルを貼り付け箇所ＳＤ１〜ＳＤ５で重ねて貼り付ける場合がある。このときにレイアウト配置をした用紙を断裁してラベルとしたときに、画像貼付順序が判らないと広告チラシＰ２にどの順序でラベルを貼り付けて良いかが判らなくなる。
【００６９】
そこで本実施形態では、レイアウト配置されたときの裏面の白紙部分に、広告チラシＰ２へのラベル貼付順序の識別情報をさらに付加することが可能である。この例では、貼付順序として、「上」「下」が識別情報Ｍ１〜Ｍ５に付加されている。貼付順序の識別情報を付加することにより、広告チラシに重ねてラベルを貼り付ける場合においても、適切な順序でラベルを貼り付けることが可能となる。広告チラシＰ２には、画像番号と貼り付け向きとが識別情報ｍ１〜ｍ５として付与されている。
【００７０】
上記各実施形態では、断裁した用紙を広告チラシに貼り付ける例について説明したが、貼り付け例としては名刺が挙げられる。
この例では、断裁したラベルをさらに複数の名刺に貼り付けることを可能にしている。
すなわち、図１１に示すように、画像データを一枚の用紙Ｐ１にレイアウト配置する場合に、配置された画像Ｄ１〜Ｄ６が複数の別用紙（例えば名刺）に貼り付ける場合がある。このときに単純な識別情報だと、どの別用紙（名刺）にラベルを貼り付けて良いかが判らなくなる。
【００７１】
そこで本実施形態ではレイアウト配置されたときの裏面の白紙部分に、どの別用紙（名刺）にラベルを貼り付けて良いかの識別情報を付加することが可能である。この例では、貼り付けをする項目を示す識別情報の末尾に数字情報を付加して、識別情報Ｍ１〜Ｍ５においてどの名刺かを使用するかの判断を可能にしている。
この図では、便宜上、ラベルの表面に識別情報を表示しているが、実際には裏面に印刷されている。
用紙Ｐ１に画像Ｄ１〜Ｄ６に関連付けて用紙情報を識別情報に付加することにより、複数の別用紙Ｐ２１、Ｐ２２、Ｐ２３に対しても用紙にラベルＤ１〜Ｄ６を貼り付けることが可能となる。
【００７２】
次に、識別情報の作成について図１２の識別情報作成画面１４００について説明する。識別情報作成画面１４００は、操作パネル１４に操作可能に表示される。
識別情報作成画面１４００では、テンプレートに基づいて識別情報を作成することができ、また、テンプレートを作成することができる。また、作成画面は、外部装置２において表示されて設定可能とするものであってもよい。
【００７３】
図１２で示した識別情報作成画面１４００では、設定項目として番号情報項目１４１０、座標情報項目１４２０、画像向き情報項目１４３０、貼り付け順序情報項目１４４０、貼り付け用紙情報項目１４５０が設けられている。これらの項目は、テンプレート作成機能によって作成することができる。例えば、予め選択可能な項目データを用意し、これらの中から項目を選択することでテンプレートを作成することができ、また、任意に作成可能としてもよい。
各項目では、入力可能な設定内容欄が設けられる。予め選択可能な項目データが用意されている場合は、設定内容欄も項目に関連して決定される。任意に項目を設定する場合には、設定内容も任意に設定することが可能になる。
【００７４】
番号情報項目１４１０では、番号入力端１４１１が設けられており、座標情報項目１４２０では、Ｘ座標入力欄１４２１Ｘ、Ｙ座標入力欄１４２１Ｙが設けられている。
画像向き情報項目１４３０では、天位置入力欄１４３１が設けられている。天位置入力欄１４３１では、左、右、上、下を選択して入力することができる。
【００７５】
貼り付け順序情報項目１４４０では、貼付位置入力欄１４４１、貼付順入力欄１４４２が設けられており、貼り付け用紙情報では、用紙番号入力欄１４５１、文字情報入力欄１４５２が設けられている。
識別情報作成画面１４００におけるテンプレートでは、画像データ番号入力欄１４０１が設けられており、画像データ毎に識別情報の入力が可能になっている。
【００７６】
また、識別情報作成画面１４００では、ＯＫ釦１４０２とキャンセル釦１４０３とが設けられており、ＯＫ釦１４０２を押下することで、入力内容が確定し、キャンセル釦１４０３を押下することで入力内容がキャンセルされる。
【００７７】
識別情報の例としては、下記が設定可能である。また下記に記載された内容以外も別用紙へのラベル貼り付けの位置を特定するものである識別情報であれば、ユーザが任意に追加で識別情報を設定することも可能である。
・別用紙に付加された識別情報
・別用紙の貼り付け位置の識別情報
・別用紙への画像貼付向きの識別情報
・別用紙への画像貼付順序の識別情報
・どの用紙に貼り付けるかの識別情報
【００７８】
上記では、画像形成制御を制御ＣＰＵで行うものとして説明したが、外部装置２の外部装置制御部２００によって行うことができる。すなわち、識別情報の取得や、転写媒体への画像の印刷、識別情報の印刷の制御を、画像形成装置に対し行うことができる。
【００７９】
以上、本発明について上記実施形態に基づいて説明を行ったが、本発明の範囲を逸脱しない限りは前記実施形態を適宜変更することが可能である。  
【符号の説明】
【００８０】
１  画像形成装置
２  外部装置
１４  操作パネル
１５  画像形成部
１１３  制御ＣＰＵ
１２０  画像メモリ（ＤＲＡＭ）
２００  外部装置制御部
１４００  識別情報作成画面
Ｐ１  用紙
Ｐ２  広告チラシ
Ｐ２１、Ｐ２２、Ｐ２３  名刺
ＰＤ１、ＰＤ２、ＰＤ３、ＰＤ４、ＰＤ５  ラベル
Ｍ１、Ｍ２、Ｍ３、Ｍ４、Ｍ５  識別情報
ｍ１、ｍ２、ｍ３、ｍ４、ｍ５  識別情報
【図１】
2017085346.tif 000003
【図２】
2017085346.tif 000004
【図３】
2017085346.tif 000005
【図４】
2017085346.tif 000006
【図５】
2017085346.tif 000007
【図６】
2017085346.tif 000008
【図７】
2017085346.tif 000009
【図８】
2017085346.tif 000010
【図９】
2017085346.tif 000011
【図１０】
2017085346.tif 000012
【図１１】
2017085346.tif 000013
【図１２】
2017085346.tif 000014